(57)【要約】【課題】飛散防止用等のフィルムを確実に支持しつつ接着剤の必要量を抑える。【解決手段】車両の開口部に対して支持構造体２を介してガラスパネル３を支持する装置であって、ガラスパネル３の一面の少なくとも一部にフィルム部材４が貼り付けられているとともに、該フィルム部材４は、支持構造体２上に対称配置された支持箇所２Ａ〜２Ｅにおいて当該フィルム部材４の一部を部分的に支持されている。支持箇所２Ａ〜２Ｅは車両前後方向に沿うガラスパネル３の中心線Ｃを軸として左右に対称配置されていることが好ましい。例えばフィルム部材４の一部に、支持箇所２Ａ〜２Ｅにおいて支持されるように外側向きに突出した被支持片４Ａ〜４Ｅが被支持部として形成され、これら被支持片４Ａ〜４Ｅが、ガラスパネル３と支持構造体２との間に挟持されている。【選択図】図１
2008279946.tif 000002
【特許請求の範囲】
【請求項１】
車両の開口部に対して支持構造体を介してガラスパネルを支持するガラスパネル装置であって、
前記ガラスパネルの車両室内側となる内面にフィルム部材が貼り付けられているとともに、該フィルム部材は、前記支持構造体上に対称配置された支持箇所において当該フィルム部材の一部を部分的に支持されている
ことを特徴とする車両用ガラスパネル装置。
【請求項２】
前記支持箇所は前記ガラスパネルの車両前後方向に沿う中心線を軸として左右に対称配置されていることを特徴とする請求項１に記載の車両用ガラスパネル装置。
【請求項３】
前記フィルム部材の一部に、前記支持箇所において支持されるように外側向きに突出した被支持片が被支持部として形成されていることを特徴とする請求項１または２に記載の車両用ガラスパネル装置。
【請求項４】
前記被支持片が、前記ガラスパネルと前記支持構造体との間に挟持されていることを特徴とする請求項３に記載の車両用ガラスパネル装置。
【請求項５】
前記被支持片に透孔が形成されているとともに、該透孔を通じて前記ガラスパネルと前記支持構造体とが接着剤により接着されていることを特徴とする請求項３または４に記載の車両用ガラスパネル装置。
【請求項６】
前記フィルム部材の一部に、前記支持箇所において前記ガラスパネルと前記支持構造体との間に挟持されて支持される被支持部が形成されているとともに、当該フィルム部材はその外周縁が前記ガラスパネルの周縁に沿って形成されていることを特徴とする請求項１または２に記載の車両用ガラスパネル装置。
【請求項７】
前記ガラスパネルの一部にセラミックコーティングが施されていることを特徴とする請求項１から６のいずれか一項に記載の車両用ガラスパネル装置。
【請求項８】
前記セラミックコーティングにより前記ガラスパネルの外周寄り部分に不透明層が形成されていることを特徴とする請求項７に記載の車両用ガラスパネル装置。
【請求項９】
前記フィルム部材は、前記ガラスパネルが破損時に飛散するのを防止する部材であることを特徴とする請求項１から８のいずれか一項に記載の車両用ガラスパネル装置。
【発明の詳細な説明】
【技術分野】
【０００１】
本発明は、車両用ガラスパネル装置に関するもので、さらに詳述すると、本発明は、ガラスパネルが車両のルーフパネルに対して固定または可動である車両のサンルーフ等に用いられるガラスパネル装置に関する。
【背景技術】
【０００２】
従来、ルーフの一部をガラスとして採光可能としたサンルーフ付きの車両が知られている。また、昨今は大型のガラスパネルを備えたいわゆる大開口型のサンルーフが人気を博している。
【０００３】
このようにサンルーフに用いられるガラスパネルとしては、大別すると二枚の積層ガラス間にフィルムを配設して成るいわゆる合わせガラスと一枚のガラスに熱処理を施して成るいわゆる強化ガラスが用いられているが、近年、ガラスパネルの飛散防止として、ガラスパネルの車両室内側となる内面にフィルムを貼着したものも知られている。また、この場合のガラスパネルおよび飛散防止フィルムは、ガラスパネルをルーフパネルに対して支持する支持構造体に対して接着剤や接着用フィルムといった接着手段によって取り付けられている（例えば特許文献１参照）。このような構造の場合、フィルムの外周縁はガラスパネルに対してフリーであり、例えば接着剤中に潜り込んで固定された状態となっている。
【０００４】
また、少なくとも一部が透明なガラスパネルを備え、該ガラスパネルの周縁付近において被覆発泡体によってガラスパネルの車両室内側となる内面に取り付けられた支持構造体を備えているという車両のサンルーフも提案されている（例えば特許文献２参照）。この場合、ガラスパネルの内面に貼られている飛散防止フィルムは、例えばガラスパネルの中央部において接着フィルムにより接着され、外周側においては周縁が被覆発泡体の内部に潜り込んだ構造となっている。
【特許文献１】特表２００６−５１７８７６号公報
【特許文献２】特開２００５−５０８７８７号公報
【発明の開示】
【発明が解決しようとする課題】
【０００５】
しかしながら、上述したようなガラスパネル構造の場合、飛散防止フィルムの周縁が接着手段中に潜り込んだ構造となっていることもあり、接着領域が三次元的となり多量の接着剤を要することが多い。
【０００６】
また、接着強度に関していえば、飛散防止フィルムの端部においてその両面が接着剤と確実に接着した状態となっているかどうかの確認をすることは困難であり、接着強度の管理を行い難い。この場合、接着精度のばらつきにより、飛散防止フィルムがガラスパネル側あるいは支持構造体側に押し付けられ、フィルム片面のみしか接着剤と接触しないような状態や、接着剤で充填させるべき領域にボイド（空隙）等が発生しており同様にフィルムが接着剤と確実に接触できていないような状態が内部で起こり得る。
【０００７】
そこで、本発明は、飛散防止用等のフィルムを確実に支持しつつ接着剤の必要量を抑えることが可能な構造の車両用ガラスパネル装置を提供することを目的とする。
【課題を解決するための手段】
【０００８】
かかる課題を解決するため、本発明は、車両の開口部に対して支持構造体を介してガラスパネルを支持するガラスパネル装置であって、ガラスパネルの車両室内側となる内面にフィルム部材が貼り付けられているとともに、該フィルム部材は、支持構造体上に対称配置された支持箇所において当該フィルム部材の一部を部分的に支持されていることを特徴としているものである。
【０００９】
従来のガラスパネル装置におけるようにフィルム部材の周縁付近を全周にわたって支持するとすれば、当該周縁に沿って塗布される接着剤の使用量（必要量）は当然にその分だけ多い。この点、例えばガラス飛散防止用のフィルム部材は、ガラスパネルの破損時にガラス飛散を防止しうる程度の状態を維持していれば機能的に足り、全周にわたって支持されていないとしてもかかる状態を維持することは可能である。かかる観点から想到するに至った本発明によれば、飛散防止用等のフィルム部材を確実に支持しつつ接着剤の必要量を抑えることができるようになる。
【００１０】
また、このようなガラスパネル装置におけるフィルム部材は、あらかじめ設定された支持箇所において部分的に支持される構造となっている。この場合、全周にわたってフィルム部材が接着剤と確実に接着している必要はなく、これら支持箇所において当該フィルム部材の一部（例えば周縁付近の一部）が接着剤と確実に接着していれば足りるから、フィルム部材と接着剤とが確実に接触できていないような状態が内部で起こるのを回避しやすい。
【００１１】
しかも、このガラスパネル装置は対称配置された支持箇所においてフィルム部材の一部（例えば周縁付近の一部）を支持する構造であるため、例えばガラスパネルの破損時にもフィルム部材をより均等に支持することが可能である。この場合、支持箇所は当該ガラスパネルの車両前後方向に沿う中心線を軸として左右に対称配置されていることが好ましい。
【００１２】
また、本発明にかかるガラスパネル装置においては、フィルム部材の一部に、支持箇所において支持されるように外側向きに突出した被支持片が被支持部として形成されている。このような被支持片は、あらかじめ支持構造体上に対称配置されている支持箇所において支持される。さらに本発明においては、このような被支持片が、ガラスパネルと支持構造体との間に挟持されている。
【００１３】
このようなガラスパネル装置において、被支持片に透孔が形成されているとともに、該透孔を通じてガラスパネルと支持構造体とが接着剤により接着されていることも好ましい。この場合、ガラスパネルと支持構造体とが接着剤によって強固に接着されうることに加え、当該接着剤（の固まり）に被支持片を係止させた構造とすることが可能である。
【００１４】
さらには、フィルム部材の一部に、支持箇所においてガラスパネルと支持構造体との間に挟持されて支持される被支持部が形成されているとともに、当該フィルム部材はその外周縁がガラスパネルの周縁に沿って形成されていることも好ましい。
【００１５】
また、ガラスパネルの一部にセラミックコーティングが施されていることも好ましい。例えばセラミックコーティングによって形成された層の粗い表面にフィルム部材を貼り付けることとすれば当該フィルム部材の貼付力をさらに向上させることが可能である。
【００１６】
この場合、セラミックコーティングによりガラスパネルの外周寄り部分に不透明層が形成されていることがさらに好ましい。このような不透明層は、例えばガラスパネルの周縁付近を支持している支持構造体が車両外から見えないようにする目隠しとして機能するから、このガラスパネル装置によって構成されるサンルーフ等の外観を向上させうる。しかも、セラミックコーティングによる不透明層は紫外線を遮って低減させうるから、接着剤が劣化するのを抑えて接着力を維持するという機能も発揮しうる。
【発明の効果】
【００１７】
本発明にかかる車両用ガラスパネル装置によれば、飛散防止用等のフィルムを確実に支持しつつ接着剤の必要量を抑えることが可能となる。
【発明を実施するための最良の形態】
【００１８】
以下、本発明の構成を図面に示す実施の形態の一例に基づいて詳細に説明する。
【００１９】
図１〜図１２に本発明にかかる車両用ガラスパネル装置の実施形態を示す。このガラスパネル装置１は、車両の開口部に対してガラスパネル３を支持する装置であり、例えば本実施形態ではインナフレーム（支持構造体）２によってこのガラスパネル３を支持することとしている。以下においては、本発明にかかるガラスパネル装置１を乗用車のいわゆるサンルーフに適用した場合の形態について説明する。なお、図１、図１２等において当該車両の前方方向（進行方向）を符号Ｆｗで示している。
【００２０】
ガラスパネル３は、ルーフの開口部に対してスライド可能に支持される透光板である。本実施形態のガラスパネル３は車両前方側が広がるように緩やかに湾曲した略矩形であり、例えば運転席および助手席の上方に僅かに後席寄りの位置に設けられている（図１、図１２参照）。なお、図１と図１２においては左右対称形状のガラスパネル３等について車両前後方向（ガラスパネル３のスライド方向）に沿う車両中心線Ｃ（ガラスパネル３の中心線Ｃ）よりも右側（運転席側）の半分のみを図示している。このガラスパネル３の車両室内側となる内面には飛散防止フィルム４が貼り付けられている。
【００２１】
飛散防止フィルム４はガラスパネル３が破損した場合に飛散するのを防止するためのフィルム部材である。例えば本実施形態では、樹脂フィルム４１とこの樹脂フィルム４１をガラスパネル３の内面に貼り付けるための接着用フィルム４２とからなるフィルム複合体を飛散防止フィルム４として用いている（図２参照）。樹脂フィルム４１は、耐引き裂き性と耐引っ張り性を有し、容易には引き裂かれたり引っ張られて破れたりしないものであることが好ましい。このような樹脂フィルム４１の材料としては例えばＰＥＴフィルムを用いることができる。また、接着用フィルム４２はこのような樹脂フィルム４１をガラスパネル３の内面に接着するためのフィルムで、当該樹脂フィルム４１と同じ大きさまたはこれより小さく形成されている。このような接着用フィルム４２の材料としては例えば合わせガラスの中間膜等に利用されるＰＶＢ（ポリビニルブチラール）を用いることができる。なお、図１では飛散防止フィルム４の外形を太い破線で示している。
【００２２】
インナフレーム２は上述したガラスパネル３を支持するための支持構造体であり、特に図示はしていないが、車両のルーフパネルに対してガラスパネル３をスライド可能に支持する。このようなインナフレーム２は、ガラスパネル３の面剛性を補強した状態で支持しうるものであればその具体的構造が特に限定されることはないが、例示すれば本実施形態のインナフレーム２は開口部において前後左右に配置された４本のフレーム２ｆ，２ｒ，２ｓ（，２ｓ）により矩形状に構成されている（図１参照）。これら４本のフレームのうち、車両前方側および後方側に配置される一対のフレーム２ｆ，２ｒは、下に向かって凸形状の断面チャネル形状に形成されている（図３〜図８参照）。これら断面チャネル形状の上縁は、ガラスパネル３を直接または飛散防止フィルム４を介して支持するためフランジ状に折り曲げられた形状になっている（以下、フランジといい符号２１〜２４で示す）。また、車両右側（および図示していない左側）に配置されるフレーム２ｓは断面Ｌ字形状のブラケット状に形成されている（図９、図１０参照）。上述したガラスパネル３は、このようなインナフレーム２に対して接着剤６で接着され固定されている（図３、図６等参照）。さらに上述した飛散防止フィルム４もその外周部分をインナフレーム２に接着されている。
【００２３】
ここで、本実施形態では、飛散防止フィルム４の外周部を接着剤によりインナフレーム２に接着するにあたり、接着領域の三次元的な広がりを抑えるべく、二次元平面内にて限定した接着領域を設定することとしている。具体的には、インナフレーム２上に対称配置した支持箇所において、飛散防止フィルム４の周縁付近を部分的に支持するようにしている。このような構成の具体例を説明すると以下のとおりである。
【００２４】
すなわち、飛散防止フィルム４は、その周囲に、上述した支持箇所において支持される突出した被支持片４Ａ〜４Ｅを備えた形状となっている（図１参照）。被支持片４Ａ〜４Ｅの形状や個数、配置は特に限定されるものではないが、例えば本実施形態の場合には図１に示すように５箇所に設けた略矩形の突出片を被支持片４Ａ〜４Ｅとしている。５箇所の被支持片４Ａ〜４Ｅは、車両前方側の２箇所の被支持片４Ａ，４Ｂ、車両右側の１箇所の被支持片４Ｃ、車両後方側の２箇所の被支持片４Ｄ，４Ｅからなる。なお、図示してはいないが、車両中心線Ｃを挟んだ反対側（助手席側）にも５箇所の被支持片が上述した被支持片４Ａ〜４Ｅと対称的に配置されている。
【００２５】
ここで、上述した車両右側の被支持片４Ｃは飛散防止フィルム４において車両前後方向の中央付近に設けられていてもよいが、本実施形態では中央付近よりも車両前方寄りの位置に設けることとしている（図１参照）。例えば運転席における乗員（ドライバ）の頭部がガラスパネル３の前方右寄りに位置するような構成のガラスパネル装置１においては、車両右側（および左側）の被支持片４Ｃをこのように車両前方寄りの位置に設けることによってガラス飛散をより有効に抑えることが可能となる。
【００２６】
また、インナフレーム２には、これら被支持片４Ａ〜４Ｅをそれぞれ支持するための支持箇所２Ａ〜２Ｅがあらかじめ形成されている（図１等参照）。ここで、これら支持箇所２Ａ〜２Ｅおよびその他の箇所における支持態様について説明すると以下のとおりである。
【００２７】
まず、車両前方側であって支持箇所２Ａ，２Ｂ以外の箇所においては、飛散防止フィルム４はその周縁（前縁）４ｅがインナフレーム２よりも車両前方側へと突出しないように形成されている（図３参照）。例えば本実施形態の場合、飛散防止フィルム４はインナフレーム２の後側フランジ２２と重なっているが前側フランジ２１とは重ならない大きさに形成されている。ガラスパネル３は、インナフレーム２の前側フランジ２１に対して接着剤６によって直接的に接着されている。
【００２８】
一方、車両前方側の支持箇所２Ａ（２Ｂ）においては、飛散防止フィルム４の被支持片４Ａ（４Ｂ）がインナフレーム２よりも車両前方側へと突出するように形成されている（図４参照）。この場合、インナフレーム２とガラスパネル３との間には当該被支持片４Ａ（４Ｂ）が介在した状態となる。本実施形態においては、インナフレーム２の前側フランジ２１と被支持片４Ａ（４Ｂ）とを接着剤８で接着している（図４参照）。なお、ガラスパネル３の周縁と車両開口部との間にウレタンリム等のシール材１１が設けられる場合もあるが、このような支持構造はシール材１１の有無にかかわらず適用することが可能なものである（図４、図５参照）。
【００２９】
ここで、本実施形態では、インナフレーム２の前側フランジ２１と被支持片４Ａ（４Ｂ）とを接着するための接着剤８として、上述した接着剤６とは異なるものを用いることとしている。すなわち、上述した接着剤６はインナフレーム２に対してガラスパネル３を直接的に接着させているものであり（図４等参照）、このような接着剤６としては例えば熱可塑性であるウレタン接着剤などが用いられる。一方、図３等に示す接着剤８は上述したようにインナフレーム２と飛散防止フィルム４とを接着するために用いられているもので、このような接着剤８としては例えばポリビニルブチラールを含む接着剤などが用いられる。なお、図１や図１２においては、ガラスパネル３とインナフレーム２とを接着する接着剤６の塗布領域をハッチングで、飛散防止フィルム４とインナフレーム２とを接着する接着剤８の塗布領域をクロスハッチングで表し、それぞれに符号６，８を付して示している。
【００３０】
次に、車両後方側であって支持箇所２Ｄ，２Ｅ以外の箇所においては、飛散防止フィルム４はその後縁がインナフレーム２の前側フランジ２３に重なる程度の大きさに形成されている（図６参照）。例えば本実施形態の場合、飛散防止フィルム４はインナフレーム２の前側フランジ２３の途中までの長さであり、当該前側フランジ２３よりも後方へ突出してはいない。ガラスパネル３は、インナフレーム２の前側フランジ２３および後側フランジ２４に対して接着剤６により直接的に接着されている（図６参照）。
【００３１】
一方、車両後方側の支持箇所２Ｄ（２Ｅ）においては、飛散防止フィルム４の被支持片４Ｄ（４Ｅ）がインナフレーム２の前側フランジ２３よりも車両後方側へと突出するように形成されている（図７参照）。この場合、インナフレーム２の前側フランジ２３とガラスパネル３との間には当該被支持片４Ｄ（４Ｅ）が介在した状態となる。本実施形態においては、インナフレーム２の前側フランジ２３と被支持片４Ｄ（４Ｅ）とを接着剤８で接着している。ガラスパネル３は、インナフレーム２の後側フランジ２４に対して接着剤６により直接的に接着されている（図７参照）。なお、ガラスパネル３の周縁と車両開口部との間にウレタンリム等のシール材１１が設けられる場合があるのは上述したとおりであるが、この支持構造はシール材１１の有無にかかわらず適用することが可能なものである（図７、図８参照）。
【００３２】
続いて、車両右側の支持箇所２Ｃにおいては、飛散防止フィルム４の被支持片４Ｃがインナフレーム２よりも車両右側へと突出するように形成されている（図１０参照）。この場合、インナフレーム２とガラスパネル３との間には当該被支持片４Ｃが介在した状態となる。本実施形態においては、このインナフレーム２と被支持片４Ｃとを接着剤８で接着している（図１０参照）。
【００３３】
これに対し、車両右側であって支持箇所２Ｃ以外の箇所においては、飛散防止フィルム４はその右縁がインナフレーム２のフランジ（符号２５で示す）に一部重なる程度の大きさに形成されている（図９参照）。例えば本実施形態の場合、飛散防止フィルム４はインナフレーム２のフランジ２５の途中までの長さであり、当該インナフレーム２よりも右側へ突出してはいない。ガラスパネル３は、インナフレーム２に対して接着剤６により直接的に接着されている（図９参照）。
【００３４】
なお、ここまでは被支持片４Ａ〜４Ｅを単に略矩形に形成している場合について説明したが、これら被支持片４Ａ〜４Ｅに透孔５を設けることも好ましい（図１１参照）。この場合、該透孔５を通じてガラスパネル３とインナフレーム２とが接着剤６によって部分的にかつ直接的に接着されていれば、ガラスパネル３とインナフレーム２とが接着剤６によって強固に接着されることに加え、当該接着剤６（が固化した固まり）に被支持片４Ａ〜４Ｅを係止させた構造とすることができるから、当該被支持片４Ａ〜４Ｅを介して飛散防止フィルム４を確実に支持することが可能である。つまり、当該接着剤６の界面接着強度のみならず、接着剤６の材料破断強度をも加えた状態で被支持片４Ａ〜４Ｅを支持できる点で好適である。
【００３５】
また、飛散防止フィルム４の外周部においては、当該飛散防止フィルム４の周縁４ｅにインナフレーム２のエッジ部や平面部をあてがう構成とすることも好ましい。こうした場合、飛散防止フィルム４の周縁４ｅが徐々に剥がれるのを未然に防ぐことが可能となる。
【００３６】
さらに、ガラスパネル３の少なくとも一部にセラミックコーティングが施されていることも好ましい。セラミックコーティングが施された部分の表面は粗くなるから、当該粗い表面に飛散防止フィルム４を貼り付けることとすれば当該飛散防止フィルム４の貼付力をさらに向上させることができる。また、かかるセラミックコーティング層によれば、ガラスパネル３の所定領域に不透明層を形成することもできる。例えば本実施形態では、ガラスパネル３の周縁に沿った外周寄り部分を周回するようにセラミックコーティングを施し、上述したインナフレーム２の上部に不透明層を形成することとしている（図１の符号７参照）。こうした場合のセラミックコーティング７の層は、ガラスパネル３を支持しているインナフレーム２を車外から見えなくする目隠しとして機能するから、上述したようなガラスパネル装置１によって構成される車両のサンルーフ等の外観を向上させうる点で好適である。加えて、当該セラミックコーティング７による不透明層は、外部からの紫外線を遮って入射量を低減させうるから、紫外線の影響を受けて接着剤６，８が劣化するのを抑えて接着力を維持するという機能も発揮しうる。
【００３７】
ここまで説明したように、本実施形態のガラスパネル装置１においては、飛散防止フィルム４を被支持片４Ａ〜４Ｅを有するいわば凹凸形状に形成するとともに、凹部（被支持片４Ａ〜４Ｅが形成されていない部分）においては接着剤６を用いてガラスパネル３をインナフレーム２に直接的に接着し、凸部（被支持片４Ａ〜４Ｅが形成されている部分）においてはこれとは異なる接着剤８を用いてこれら被支持片４Ａ〜４Ｅをインナフレーム２に接着するようにしている。例えば従来構造におけるように飛散防止フィルム４の周縁付近に全周にわたって塗布するとすれば、当該飛散防止フィルム４を支持するために要する接着剤の量がその分だけ多くなる。この点、本実施形態では、ガラスパネル３の破損時におけるガラス飛散を防止しうる程度の状態は維持しつつ、飛散防止フィルム４の周囲を部分的に支持する構造としていることから、当該飛散防止フィルム４の支持に必要な接着剤の使用量を抑えることが可能である。当然ながら、これによればガラスパネル装置１の台数あたりの接着剤使用量を低減させることも可能である。さらには、接着剤の塗布に要する工程や時間をも抑えることが可能となる。
【００３８】
また、上述のような構造のガラスパネル装置１においては、接着剤６，８による接着強度の管理が容易になるという利点もある。すなわち、ガラスパネル３とインナフレーム２との接着範囲、飛散防止フィルム４とインナフレーム２との接着範囲を明確に分離することにより（図１、図１２参照）、それぞれの接着範囲において必要な接着強度を個別に管理することができ、尚かつ管理しやすい。例えば従来においてはガラスパネル３とインナフレーム２とを接着平面の管理（例えば接着領域の幅管理）により接着強度を一律的に確保する場合もあり得たが、本実施形態においてはこのように接着強度を接着範囲ごとに管理することにより、必要な強度を確保しつつ接着剤の使用量をさらに抑えることも可能である。
【００３９】
さらに、上述したガラスパネル装置１によれば採光面積が減少するのを抑えることができるという点でも好適である。すなわち、従来構造であれば、ガラスパネル３に必要な接着範囲を設定したうえで飛散防止フィルム４の接着に必要な範囲をさらに設定している場合があり、この結果、インナフレーム２における接着範囲が増大し、ガラスパネル３の不透明部分（セラミックコーティングを施して目隠しする範囲）が広がって採光面積が減少することがあり得る。この点、本実施形態のガラスパネル装置１によれば、飛散防止フィルム４の外形をいわば凹凸形状とし、凸部（被支持片４Ａ〜４Ｅ）では飛散防止フィルム４とインナフレーム２のみを接着し、一方で凹部（被支持片４Ａ〜４Ｅ以外の部分）ではガラスパネル３とインナフレーム２のみを接着し、両接着範囲を直列に配置することが可能となっている。つまり、こうした場合には従前のように接着範囲を二列重ねて配置する必要がなく、ガラスパネル３の透明部分（具体的には、セラミックコーティング７の内周縁よりも内側の部分）の範囲を確保しやすい。
【００４０】
しかも、本実施形態では対称的に配置された支持箇所において飛散防止フィルム４の周縁付近を支持することとしているため（図１参照）、ガラスパネル３の破損が生じた際にも飛散防止フィルム４をより均等に支持することが可能である。つまり、飛散防止フィルム４の周縁付近を部分的に支持しながらも、破損したガラスパネル３が飛散するのを従前と同様に抑えることが可能な構造となっている。
【００４１】
なお、上述の実施形態は本発明の好適な実施の一例ではあるがこれに限定されるものではなく本発明の要旨を逸脱しない範囲において種々変形実施可能である。例えば、飛散防止フィルム４は、インナフレーム２の外側からガラスパネル３の周縁３ｅまでの範囲に延長し、ガラスパネル３の下面全体を大きく覆う構造であってもよい（図１３、図１４参照）。例えば、飛散防止フィルム４の周縁４ｅが外部リム等のシール材１１の内部に挿入されている構造とすることも可能で、これによりガラスパネル３の全面に対して破損時の飛散を防止することが可能となる。また、当該飛散防止フィルム４の周縁４ｅをシール材１１の内部に潜り込ませた構造とすれば、飛散防止フィルム４が周縁４ｅから徐々に剥がれるのを未然に防ぐこともできる。例えば図１３と図１４に示すガラスパネル装置１においては、飛散防止フィルム４の一部に、支持箇所２Ａ〜２Ｅにおいてガラスパネル３とインナフレーム２との間に挟持されて支持される被支持部４Ａ〜４Ｅが形成されており、尚かつ飛散防止フィルム４はその外周縁４ｅがガラスパネルの周縁３ｅに沿って形成されている。換言すれば、この飛散防止フィルム４はガラスパネル３と同等の外形をもち、尚かつ接着剤６によってインナフレーム２とガラスパネル３とが直接的に接着される部位においてはインナフレーム２の形状に沿った孔が設けられた形状となっている（図１３参照）。
【図面の簡単な説明】
【００４２】
【図１】本発明の一実施形態を示す車両用ガラスパネル装置の平面図である。
【図２】図１のII-II線（車両中心線）におけるガラスパネルの構造を示す断面図である。
【図３】図１のIII-III線におけるインナフレーム、ガラスパネル、飛散防止フィルム等の構造を示す断面図である。
【図４】図１のIV-IV線におけるインナフレーム、ガラスパネル、飛散防止フィルム等の構造を示す断面図である。
【図５】図４に示したガラスパネルの周縁と車両開口部との間にシール材が設けられている場合の構造を示す図である。
【図６】図１のVI-VI線におけるインナフレーム、ガラスパネル、飛散防止フィルム等の構造を示す断面図である。
【図７】図１のVII-VII線におけるインナフレーム、ガラスパネル、飛散防止フィルム等の構造を示す断面図である。
【図８】図７に示したガラスパネルの周縁と車両開口部との間にシール材が設けられている場合の構造を示す図である。
【図９】図１のIX-IX線におけるインナフレーム、ガラスパネル、飛散防止フィルム等の構造を示す断面図である。
【図１０】図１のX-X線におけるインナフレーム、ガラスパネル、飛散防止フィルム等の構造を示す断面図である。
【図１１】飛散防止フィルムの被支持片に透孔を設ける場合の一形態を拡大して示す部分平面図である。
【図１２】本実施形態のガラスパネル装置の構造を示す斜視図である。
【図１３】本発明の他の実施形態を示すガラスパネル装置の平面図である。
【図１４】図１３のXIV-XIV線におけるインナフレーム、ガラスパネル、飛散防止フィルム等の構造を示す断面図である。
【符号の説明】
【００４３】
１…ガラスパネル装置、２…インナフレーム（支持構造体）、２Ａ〜２Ｅ…支持箇所、３…ガラスパネル、３ｅ…ガラスパネルの周縁、４…飛散防止フィルム（フィルム部材）、４ｅ…飛散防止フィルム（フィルム部材）の周縁、４Ａ〜４Ｅ…被支持片（被支持部）、５…透孔、６…接着剤、７…セラミックコーティング、８…接着剤、Ｃ…車両中心線
【図１】
2008279946.tif 000003
【図２】
2008279946.tif 000004
【図３】
2008279946.tif 000005
【図４】
2008279946.tif 000006
【図５】
2008279946.tif 000007
【図６】
2008279946.tif 000008
【図７】
2008279946.tif 000009
【図８】
2008279946.tif 000010
【図９】
2008279946.tif 000011
【図１０】
2008279946.tif 000012
【図１１】
2008279946.tif 000013
【図１２】
2008279946.tif 000014
【図１３】
2008279946.tif 000015
【図１４】
2008279946.tif 000016